(57)【特許請求の範囲】
【請求項１】
住宅の下階から上階にかけて形成した吹抜空間に梁が配置され、ペットが上階から前記梁にアプローチできるように、吹抜空間と接する上階の境界壁部分であって前記梁に対応する位置にペット専用の出入口が設けられており、
該出入口と前記梁との間には、当該梁よりも幅広な踊り場が設けられている
ことを特徴とする吹抜空間を有する住宅。
【請求項２】
前記梁は前記吹抜空間に互いに平行に複数本設けられ、各梁に対応して前記出入口及び踊り場が設けられ、これら複数の梁に亘ってさらに回廊又は梁が架設されている
ことを特徴とする請求項１に記載の吹抜空間を有する住宅。
【請求項３】
前記吹抜空間の下階から前記梁または回廊へのペットのアプローチ通路が設けられて構成される
ことを特徴とする請求項２に記載の吹抜空間を有する住宅。
【発明の詳細な説明】
【０００１】
【発明の属する技術分野】
本発明は、強度補強や意匠性の向上を目的として吹抜空間に設けられる梁や回廊或はカーテンボックス（以下カーテンボックスについては省略する）を猫などのペットの遊び場として利用することが出来るようにした吹抜空間を有する住宅に係り、特に吹抜空間と接する上階の境界壁部分にペット専用の出入口を設け、ペットが上階から前記梁または回廊に直接かつ容易にアプローチ出来るようにした吹抜空間を有する住宅に関するものである。
【０００２】
【従来の技術】
従来、住宅の下階から上階にかけて吹抜空間を設ける場合に、強度補強や意匠性などを目的として、吹抜空間上階の床付近に梁や或は吹抜空間の周囲部分に設けられた巾の狭い通路状の縁部（本明細書では回廊という）を設けることがある。
【０００３】
一方、猫などの高い所を好むペットは、家具や家電品の上に移動して遊んだり、休息することが多かった。
【０００４】
【発明が解決しようとする課題】
しかし、前記家具や家電品の上は、一般的に場所が狭いので、ペットにとって満足できる場所とはいいがたかった。また、これ等の家具や家電品の上には、種々の品物が置かれているので、ペットによってこれ等の品物が落とされて損傷する問題があった。
【０００５】
また、最近になって、吹抜空間の梁をペットの遊び場と利用する目的で、下階に積み木を組み上げたような昇降部材を設置した例もあるが、この場合には昇降部材を設置する大きなスペースが必要である上に、外観上体裁が悪い等の問題があった。
【０００６】
本発明に係る吹抜空間を有する住宅は、前述の従来の問題点に鑑み開発された全く新しい技術であって、特に、梁または回廊が設置された吹抜空間を有する住宅に於て、該吹抜空間に接する上階の境界壁部分にペット専用の出入口を設け、この出入口を利用することによって、ペットが前記梁または回廊に容易にアプローチ出来るようにした全く新しい技術を提供するものである。従って、従来は猫などのペットの移動は吹抜空間に限定されていたのを、本発明は吹抜空間のみならず、前記出入口につながる廊下、部屋、階段等の全ての空間まで移動範囲を拡大することが出来るようにした技術である。
【０００７】
【課題を解決するための手段】
本発明に係る吹抜空間を有する住宅は、前述の従来の問題点を根本的に改善した発明であって、その第１発明の要旨は、住宅の下階から上階にかけて形成した吹抜空間に梁が配置され、ペットが上階から前記梁にアプローチできるように、吹抜空間と接する上階の境界壁部分であって前記梁に対応する位置にペット専用の出入口が設けられており、該出入口と前記梁との間には、当該梁よりも幅広な踊り場が設けられていることを特徴とする吹抜空間を有する住宅である。
【０００８】
本発明に係る吹抜空間を有する住宅の第２発明の要旨は、前記梁は前記吹抜空間に互いに平行に複数本設けられ、各梁に対応して前記出入口及び踊り場が設けられ、これら複数の梁に亘ってさらに回廊又は梁が架設されていることを特徴とする第１発明に記載の吹抜空間を有する住宅である。
【０００９】
本発明に係る吹抜空間を有する住宅の第３発明の要旨は、前記吹抜空間の下階から前記梁または回廊へのペットのアプローチ通路が設けられて構成されることを特徴とする第２発明に記載の吹抜空間を有する住宅である。
【００１０】
【発明の実施の形態】
本発明に係る吹抜空間を有する住宅の一実施例を具体的に説明すると、図１は本発明に係る吹抜空間を有する住宅の縦断面図、図２は図１のペット専用の出入口を示す斜視説明図、図３は回廊を例示する斜視説明図である。
【００１１】
図１及び図２に於て、１は本発明に係る住宅であって、１階２、２階３及び３階４より構成されている。該１階２から２階３に亘って吹抜空間５が設けられており、この吹抜空間５の屋根部には天窓６が取付けられている。
【００１２】
７は梁であって、吹抜空間５の２階３の床付近に配置されており、この吹抜空間５を強度補強している。また、２階３には、該吹抜空間５に接して境界壁８が設けられている。この境界壁８の下部には、前記梁７に対応する位置にペットが出入り出来る出入口９が設けられている。
【００１３】
特に図２に示す如く、該出入口９と梁７との間にはペット用踊り場１０が設置されており、このペット用踊り場１０によってペットの移動を容易にしている。
【００１４】
図中１１は２階３に設けられた廊下であって、図に示すペット１２は、この廊下或は部屋１１より前記出入口９を通って、梁７に容易にアプローチすることが出来るように構成されている。また、ペット１２が１階２から２階３に昇る場合には、図示しない人間用の階段を通過することによって、簡単に昇ることが出来るようになっている。
【００１５】
図１に於ては、ペット１２が前記梁７にアプローチする手段として、前述の出入口９とは別に、昇降用アプローチ通路１３が例示されている。この昇降用アプローチ通路１３は、短い横バー１４を螺旋状または梯子状に小柱１５に取付けた構造であって、意匠性の良い可搬式のものを１階２の応接室１６の隅に梁７に向って立設することによって構成されている。
【００１６】
前述のように、出入口９とは別に、昇降用アプローチ通路１３を設けた場合には、ペット１２は梁７にアプローチする手段を自在に選択することが出来る。かつ、ペット１２はこの昇降用アプローチ通路１３と人間用階段とを利用することによって、家内を自由に回動して遊んだり運動することが出来る。
【００１７】
前記実施例に於ては、吹抜空間５に梁７を設ける実施例について説明したが、梁７の代りに図３に示す如く、回廊１７をもうけるか、或は梁７とそれに連絡する回廊１７の両者を設けることも可能である。
【００１８】
前記出入口９としては、境界壁８に単なる貫通孔を設けても良いが、意匠上、従来から知られている慣用の自動開閉式の蓋付出入口をその貫通孔に取付けて構成することも可能である。
【００１９】
【発明の効果】
本発明に係る吹抜空間を有する住宅に於ては、前述のような構成と作用とを有するので、吹抜空間に強度補強や意匠性の目的で設けられる梁や回廊をペットの遊び場として兼用することが出来る効果を有している。
【００２０】
また、吹抜空間と接する上階の境界壁部分にペット専用の出入口が設けられているので、ペットはこの出入口を利用して吹抜空間に設けた梁や回廊に容易にアプローチすることが出来る。従って、前述の従来の技術のように室内空間にペットが昇降するための体裁の悪いアプローチ装置をわざわざ設ける必要がない等の効果を有している。
【００２１】
さらに、吹抜空間の下階から前記梁または回廊に対してペットのアプローチ通路を設けて構成した場合には、ペットは梁または回廊にアプローチする手段を２者択一式に自由に選択することが出来、その遊び或は運動の行動範囲を広げることが出来る等の効果を有している。
【図面の簡単な説明】
【図１】  本発明に係る吹抜空間を有する住宅の縦断面図である。
【図２】  図１のペット専用の出入口を示す斜視説明図である。
【図３】  回廊を例示する斜視説明図である。
【符号の説明】
１ …住宅
２ …１階
３ …２階
４ …３階
５ …吹抜空間
６ …天窓
７ …梁
８ …境界壁
９ …出入口
１０ …ペット用踊り場
１１ …廊下或は部屋
１２ …ペット
１３ …昇降用アプローチ通路
１４ …横バー
１５ …小柱
１６ …応接室
１７ …回廊
【図１】
0004518642.tif 000002
【図２】
0004518642.tif 000003
【図３】
0004518642.tif 000004